【事件の表示】
　特許第３００８７４１号「カメラの鏡筒構造」の請求項４に係る特許に対する特許異議の申立てについて、次のとおり決定する。
【結　論】
　訂正を認める。
　特許第３００８７４１号の請求項４に係る特許を維持する。
【理　由】
（１）手続の経緯
　特許第３００８７４１号の請求項４に係る発明は、平成５年８月２日に特許出願され、平成１１年１２月３日にその特許の設定登録がなされ、その後異議申立人小塚浩により特許異議の申立がなされ、取消理由通知がなされ、その指定期間内である平成１３年１月３０日に訂正請求がなされたものである。
　
（２）訂正の適否についての判断
　（ア）訂正の内容
　訂正事項ａ
　特許請求の範囲の請求項４における「前記直進ガイドに形成された直進溝と、前記差動筒に形成されたカム溝に、その外周部に形成されたピンが係合することで光学位置を規定される少なくとも２つのレンズ群保持部材とを有するカメラにおいて、前記ピンは」を、
「少なくとも２つのレンズ群保持部材とを有するカメラにおいて、該２つのレンズ群保持部材は、その外周部に円柱状突起が形成され、該円柱状突起の先端部には、ピンが嵌入されており、前記差動筒には力ム溝が形成されており、前記直進ガイドには、その先端部がリング状につながるように直進溝が形成されており、前記差動筒の力ム溝には該ピンが係合し、前記直進ガイドの直進溝には該円柱状突起が係合することで該２つのレンズ群保持部材の光学位置を規定しており、前記円柱状突起は」と訂正する。
　
　訂正事項ｂ
　明細書の段落【００２１】中の「前記直進ガイドに形成された直進溝と、前記差動筒に形成された力ム溝に、その外周部に形成されたピンが係合することで光学位置を規定される少なくとも２つのレンズ群保持部材とを有するカメラにおいて、前記ピンは」を
「少なくとも２つのレンズ群保持部材とを有するカメラにおいて、該２つのレンズ群保持部材は、その外周部に円柱状突起が形成され、該円柱状突起の先端部には、ピンが嵌入されており、前記差動筒には力ム溝が形成されており、前記直進ガイドには、その先端部がリング状につながるように直進溝が形成されており、前記差動筒の力ム溝には該ピンが係合し、前記直進ガイドの直進溝には該円柱状突起が係合することで該２つのレンズ群保持部材の光学位置を規定しており、前記円柱状突起は」と訂正する。
　
　訂正事項ｃ
　訂正前の明細書の段落【００３７】を削除する。
　
　訂正事項ｄ
　訂正前の明細書の段落【００４１】中の「ピン」を、訂正後の明細書の段落【００４０】中の「円柱状突起」と訂正する。
　
　訂正事項ｅ
　段落番号【００３８】〜【００４１】を、段落番号【００３７】〜【００４０】と訂正する。
　
　（イ）訂正の目的の適否、新規事項の有無及び拡張・変更の存否
　訂正事項ａに係る訂正は、特許請求の範囲の減縮に該当し、実質的に特許請求の範囲を拡張又は変更するものではないし、新規事項の追加にも該当しない。
　
　訂正事項ｂ、ｃ、ｄ、及びｅに係る訂正は、明瞭でない記載の釈明に該当し、実質的に特許請求の範囲を拡張又は変更するものではないし、新規事項の追加にも該当しない。
　
　（ウ）むすび
　以上のとおりであるから、上記訂正は特許法等の一部を改正する法律（平成６年法律第１１６号）（以下「平成６年改正法」という。）附則第６条第１項の規定によりなお従前の例によるとされる、特許法第１２０条の４第３項において準用する平成６年改正法による改正前の特許法第１２６条第１項ただし書及び第２項の規定に適合するので、当該訂正を認める。
　
（３）特許異議の申立について
　（ア）申立の理由の概要
　申立人小塚浩は、証拠として甲第１号証（特開平５−１８８２７３号公報）、参考資料１〔実願昭６１−２４６号（実開昭６２−１１３３１２号）のマイクロフィルム〕を提出し、本件請求項４に係る発明の特許は、甲第１号証記載の発明に基づいて当業者が容易に発明することができたものであるので特許法第２９条第２項の規定に違反してなされたものであり、また、本件明細書の記載には不備があり特許法第３６条第４項及び第５項の要件を満たしていないので、本件請求項４に係る発明の特許を取り消すべき旨主張している。
　
　（イ）本件請求項４に係る発明
　上記「（２）訂正の適否についての判断」で示したように上記訂正が認められるから、本件請求項４に係る発明（以下、「本件発明」という。）は、上記訂正請求に係る訂正明細書の特許請求の範囲の請求項４に記載された事項により特定される次のとおりのものである。
「【請求項４】　撮影レンズ光学系を保持しカメラ本体に固定された固定筒と、この固定筒の内周面に回動自在に保持されるとともに、その回転位相によりその光軸方向位置を規定される差動筒と、この差動筒の内周側に位置しその光軸方向位置を前記差動筒の位置に対応して規定されるとともに回転位相を前記固定筒により規定される直進ガイドと、少なくとも２つのレンズ群保持部材とを有するカメラにおいて、該２つのレンズ群保持部材は、その外周部に円柱状突起が形成され、該円柱状突起の先端部には、ピンが嵌入されており、前記差動筒には力ム溝が形成されており、前記直進ガイドには、その先端部がリング状につながるように直進溝が形成されており、前記差動筒の力ム溝には該ピンが係合し、前記直進ガイドの直進溝には該円柱状突起が係合することで該２つのレンズ群保持部材の光学位置を規定しており、前記円柱状突起は少なくとも前記直進ガイドに係合する部分までを、前記レンズ群保持部材と一体に形成されていることを特徴とするカメラの鏡筒構造。」
　
　（ウ）特許法第２９条第２項について
　（引用刊行物）
　本件発明に対して、当審が平成１２年１１月２２日付で通知した取消理由で引用した刊行物〔甲第１号証（特開平５−１８８２７３号公報）〕には、
「【００２０】上記ズームレンズ鏡筒は、上記固定筒１０の外周面に回動自在に嵌合していて、光軸方向の移動を阻止された駆動筒２０と、固定筒１０の内周面に嵌合していて、上記駆動筒２０により駆動され、回動しながら光軸方向に前後動するカム筒３０と、このカム筒３０内に前方から順に配設されていて、光軸方向にそれぞれ前後動する第１レンズ筒４０，第２レンズ筒５０，第３レンズ筒６０と、同じく上記カム筒３０内に配設され、キー受け部材３４により光軸方向の移動を阻止されると共に上記固定筒１０によって光軸周りの回動が阻止されていて、上記第１レンズ筒４０，第２レンズ筒５０，第３レンズ筒６０の光軸周りの回動を規制するフロートキー８０と、上記第１レンズ筒４０の前面側に設けられていて、上記第２レンズ筒５０内に支持されたバリアドライバ５３（図１参照）によってバリア７１が開閉されるバリアユニット７０（図１参照）と、上記第２レンズ筒５０内に支持されたシャッタユニット５２（図１参照）によって開閉されるシャッタ羽根５４（図１参照）と、上記第２レンズ筒５０と第３レンズ筒６０間に張設されていて、後述するカム溝孔３０ｂ，３０ｃに対する駆動ローラ５０ａ，６０ａの嵌合のガタ付きを吸収するためのコイルバネからなる弾性部材９０と、上記フロートキー８０の後部に取り付けられたフレア絞り１００とで構成されている。」（第３頁左欄第３４行〜同頁右欄第７行）
　
「【００２５】上記第１レンズ筒４０は、その内部の前部寄りに、第１レンズ群Ｌ1 （図１参照）を保持したレンズ支持枠４１が固定されていると共に、その内周面の３等分位置に比較的幅の広い光軸方向のガイド溝４０ｂが穿設されていて、同ガイド溝４０ｂには後述するフロートキー８０のキー部８０ｂの外面側が嵌入し、同レンズ筒４０が光軸方向にのみ移動するように規制している。また、このレンズ筒４０の後端部の外周面の３等分位置には駆動ローラ４０ａが固植されていて、同駆動ローラ４０ａはカム筒３０の上記カム溝３０ａに嵌入している。
【００２６】上記第２レンズ筒５０は、その内部に、第２レンズ群Ｌ2 （図１参照）を保持したレンズ支持枠５１が固定されると共に、その外周面の３等分位置には前端壁５０ｃを有する比較的周方向に幅の広い後方が開放された光軸方向のガイド用凹部５０ｂが設けられていて、同ガイド用凹部５０ｂには上記ガイド溝４０ｂに嵌入するフロートキー８０のキー部８０ｂの内面側が嵌入し、同レンズ筒５０が光軸方向にのみ移動するように規制している。したがって、上記フロートキー８０のキー部８０ｂは上記ガイド溝４０ｂと上記ガイド用凹部５０ｂとに挾み込まれる形となっている。また、外周面の上記ガイド用凹部５０ｂ同士の間の後部には、駆動ローラ５０ａが固植されている。よって、この駆動ローラ５０ａはレンズ筒５０の後端部の外周面の３等分位置にそれぞれ固植されており、この各駆動ローラ５０ａはカム筒３０の上記カム溝３０ｂにそれぞれ嵌入している。」（第４頁左欄第２０〜４６行）
　
「【００２８】上記第３レンズ筒６０は、その内部に、第３レンズ群Ｌ3 （図１参照）を保持したレンズ支持枠６１が固定されていると共に、その外周面の３等分位置には比較的幅の広い周方向のガイド用切欠部６０ｂが設けられていて、同ガイド用切欠部６０ｂには上記ガイド溝４０ｂと上記ガイド用凹部５０ｂとの間に介在するフロートキー８０のキー部８０ｂが嵌入し、同レンズ筒６０が光軸方向にのみ移動するように規制している。また、このレンズ筒６０の外周面の上記ガイド用切欠部６０ｂ同士の間には、それぞれ駆動ローラ６０ａが固植されている。よって、この駆動ローラ６０ａはレンズ筒６０の外周面の３等分位置にそれぞれ固植されており、この各駆動ローラ６０ａはカム筒３０の上記カム溝３０ｃにそれぞれ嵌入している。」（第４頁右欄第１〜１４行）が記載されている。
　
　（対比・判断）
　本件発明と上記刊行物（甲第１号証）に記載の発明とを対比すると、刊行物に記載の発明は、本件発明を特定する事項である「直進ガイドには、その先端部がリング状につながるように直進溝が形成され」ている点を備えておらず、この点により本件発明は、平成１３年１月３０日付特許異議意見書第３頁第５行に記載の「各部品寸法精度が出しやすくなる」という効果を奏するものであり、本件発明が上記刊行物に記載された発明であるとも、刊行物に記載の発明から容易に推考することができたものともいえない。
　
　なお、上記参考資料１〔実願昭６１−２４６号（実開昭６２−１１３３１２号）のマイクロフィルム〕についても、上記「（対比・判断）」と同様の判断である。
　
　（エ）特許法第３６条第４項及び第５項について
　平成１３年１月３０日付の訂正で、明細書の記載不備については解消した。
　
　（オ）むすび
　以上のとおりであるから、特許異議の申立の理由及び証拠によっては、本件請求項４に係る発明についての特許を取り消すことはできない。
　また、他に本件請求項４に係る発明についての特許を取り消すべき理由を発見しない。
　したがって、本件請求項４に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年３月１５日（２００１．３．１５）
【訂正の要旨】
　（訂正の要旨）
　訂正事項ａ
　特許請求の範囲の請求項４における「前記直進ガイドに形成された直進溝と、前記差動筒に形成されたカム溝に、その外周部に形成されたピンが係合することで光学位置を規定される少なくとも２つのレンズ群保持部材とを有するカメラにおいて、前記ピンは」を、
「少なくとも２つのレンズ群保持部材とを有するカメラにおいて、該２つのレンズ群保持部材は、その外周部に円柱状突起が形成され、該円柱状突起の先端部には、ピンが嵌入されており、前記差動筒にはカム溝が形成されており、前記直進ガイドには、その先端部がリング状につながるように直進溝が形成されており、前記差動筒のカム溝には該ピンが係合し、前記直進ガイドの直進溝には該円柱状突起が係合することで該２つのレンズ群保持部材の光学位置を規定しており、前記円柱状突起は」と訂正する。
　訂正事項ｂ
　明細書の段落【００２１】中の「前記直進ガイドに形成された直進溝と、前記差動筒に形成されたカム溝に、その外周部に形成されたピンが係合することで光学位置を規定される少なくとも２つのレンズ群保持部材とを有するカメラにおいて、前記ピンは」を
「少なくとも２つのレンズ群保持部材とを有するカメラにおいて、該２つのレンズ群保持部材は、その外周部に円柱状突起が形成され、該円柱状突起の先端部には、ピンが嵌入されており、前記差動筒にはカム溝が形成されており、前記直進ガイドには、その先端部がリング状につながるように直進溝が形成されており、前記差動筒のカム溝には該ピンが係合し、前記直進ガイドの直進溝には該円柱状突起が係合することで該２つのレンズ群保持部材の光学位置を規定しており、前記円柱状突起は」と訂正する。
　訂正事項ｃ
　訂正前の明細書の段落【００３７】を削除する。
　訂正事項ｄ
　訂正前の明細書の段落【００４１】中の「ピン」を、訂正後の明細書の段落【００４０】中の「円柱状突起」と訂正する。
　訂正事項ｅ
　段落番号【００３８】〜【００４１】を、段落番号【００３７】〜【００４０】と訂正する。
（５４）【発明の名称】
カメラの鏡筒構造
（５７）【特許請求の範囲】
　【請求項１】　撮影レンズ光学系を保持しカメラ本体に固定された固定筒と、この固定筒の内周面に回動自在に保持されるとともに、その回転位相によりその光軸方向位置を規定される差動筒と、この差動筒の内周側に位置しその光軸方向位置を前記差動筒の位置に対応して規定されるとともに回転位相を前記固定筒により規定される直進ガイドと、前記固定筒の外周部に位置して前記差動筒に固定された駆動ピンと、この駆動ピンに回転方向の力を付与する駆動リングとを有するカメラにおいて、前記直進ガイドに設けられた円周方向の溝部に係合し該直進ガイドを前記差動筒に対し回動自在に保持し、かつ抜け止めを行なう突起を前記駆動ピンの先端に設けたことを特徴とするカメラの鏡筒構造。
　【請求項２】　撮影レンズ光学系を保持しカメラ本体に固定された固定筒と、この固定筒の内周面に回動自在に保持されるとともに、その回転位相によりその光軸方向位置を規定される差動筒と、この差動筒の内周側に位置しその光軸方向位置を前記差動筒の位置に対応して規定されるとともに回転位相を前記固定筒により規定される直進ガイドと、前記直進ガイドにより回転規制されるとともに、前記差動筒に形成されたカム溝によりその光学位置を規定される少なくとも２つのレンズ群保持部材とを有するカメラにおいて、前記直進ガイドは前記レンズ群保持部材の回転を規制する直進溝部を有するとともに該直進ガイド自身の回転を規制するキー部を前記直進溝部と同位相に形成したことを特徴とするカメラの鏡筒構造。
　【請求項３】　撮影レンズ光学系を保持しカメラ本体に固定された固定筒と、この固定筒の内周面に回動自在に保持されるとともに、その回転位相によりその光軸方向位置を規定される差動筒と、この差動筒の内周側に位置しその光軸方向位置を前記差動筒の位置に対応して規定されるとともに回転位相を前記固定筒により規定される直進ガイドと、前記固定筒の外周部に位置して前記差動筒に固定された駆動ピンと、この駆動ピンに回転方向の力を付与する駆動リングとを有するカメラにおいて、前記固定筒と差動筒はヘリコイド結合されるとともに該固定筒は前記駆動ピンが貫通する溝部を有し、この溝部は前記駆動ピンとは嵌合しないように形成されていることを特徴とするカメラの鏡筒構造。
　【請求項４】　撮影レンズ光学系を保持しカメラ本体に固定された固定筒と、この固定筒の内周面に回動自在に保持されるとともに、その回転位相によりその光軸方向位置を規定される差動筒と、この差動筒の内周側に位置しその光軸方向位置を前記差動筒の位置に対応して規定されるとともに回転位相を前記固定筒により規定される直進ガイドと、少なくとも２つのレンズ群保持部材とを有するカメラにおいて、該２つのレンズ群保持部材は、その外周部に円柱状突起が形成され、該円柱状突起の先端部には、ピンが嵌入されており、前記差動筒にはカム溝が形成されており、前記直進ガイドには、その先端部がリング状につながるように直進溝が形成されており、前記差動筒のカム溝には該ピンが係合し、前記直進ガイドの直進溝には該円柱状突起が係合することで該２つのレンズ群保持部材の光学位置を規定しており、前記円柱状突起は少なくとも前記直進ガイドに係合する部分までを、前記レンズ群保持部材と一体に形成されていることを特徴とするカメラの鏡筒構造。
【発明の詳細な説明】
　【０００１】
　【産業上の利用分野】
　本発明はカメラの鏡筒構造に関するものである。
　【０００２】
　【従来の技術】
　図３は従来のカメラの鏡筒構造を示す一部の断面図であり、１０１は駆動リング、１０２は駆動リング１０１を外周面に嵌合しカメラ本体に固定される固定筒、１０３は固定筒１０２の内周部に位置し該固定筒に対して回転しつつ繰り出される差動筒、１０４は差動筒１０３と一体に繰り出され、前記固定筒１０２に設けられたキー溝に図示しない係合用突部が係合することにより回転方向の規制が行なわれる直進ガイド、１０５は前記差動筒１０３にネジ結合し、前記固定筒１０２に設けられたカム溝部１０２ａに係合し、さらにその先端を駆動リング１０１の直進溝部１０１ａと係合する駆動ピンである。
　【０００３】
　図示しない各レンズ群保持部材は前記直進ガイド１０４の直進溝部（図示せず）及び前記差動筒１０３の内周部に形成された図示しないカム溝によりその位置を規制されており、前記駆動リング１０１を図示しない駆動手段により駆動することで、前記駆動ピン１０５が固定筒１０２のカム溝１０２ａに沿って繰り出され、その結果差動筒１０３は回転しながら繰り出される。
　【０００４】
　この時、直進ガイド１０４は前記駆動ピン１０５に固着され、その一端がＬ字状に形成された抜け止め部材１０６の作用により差動筒１０３と共に繰り出されるが、図示しない係合用突部が固定筒１０２の直進ガイドキー溝に係合しているため、回転はしないで差動筒１０３と一体で繰り出されることになる。この差動筒１０３と直進ガイド１０４の相対回転により、各レンズ群保持部材は差動筒内でさらに繰り出され、いわゆる差動ズームが行なわれる。
　【０００５】
　図４は前記直進ガイド１０４にフランジ部１０４ａを設け、このフランジ部１０４ａに設けたネジ穴１０４ｃに直進ガイド抜け止め部材１０６をネジ１０７で固定する構成となっている。
　【０００６】
　図５は従来の別の例を示す一部の断面図、図６はその分解斜視図である。
　【０００７】
　前記図３と同一部分には同一符号を付して重複説明を省略した図５，図６において、直進ガイド１０４は１レンズ群保持部材１０７の内周部に位置し、この１レンズ群保持部材１０７のキー溝部１０７ａと直進ガイド１０４の突起部１０４ａがキー結合し、１レンズ群保持部材１０７の回転規制が行なわれている。
　【０００８】
　同様に、２レンズ群保持部材１１１及び３レンズ群保持部材１１２もそれぞれのキー溝部１１１ａ，１１２ａが前記直進ガイド１０４の突起部１０４ａとキー結合し回転規制が行なわれている。
　【０００９】
　１０８は１レンズ群保持部材１０７の前端に取付けた化粧板、１０９は１レンズ群１１０のホルダ、１１３，１１４，１１５は１レンズ群保持部材１０７，２レンズ群保持部材１１１，３レンズ群保持部材１１２に形成した突起であり、この各突起１１３，１１４，１１５は差動筒１０３の内面に形成した凹部に係合している。
　【００１０】
　【発明が解決しようとする課題】
　しかしながら、上記従来例では、
　（１）駆動ピン１０５に固着される抜け止め部材１０６が必要となり、部品増、組み立て工数の増大という問題点があった。
　【００１１】
　（２）特に，図５、図６に示す従来例では、
　（イ）１レンズ群保持部材１０７は内周面に切り欠き状のキー溝１０７ａ，２，３レンズ群保持部材１１１，１１２の外周に切り欠き状のキー溝１１１ａ，１１２ａが必要なため、スペースを有効に利用できなくなる。
　【００１２】
　（ロ）直進ガイド１０４は、その先端部が一周リング状につながっていない。そのため、先端部において、前記各レンズ群の回転規制を行なうには、根元部分１０４ｂの肉厚を厚くする必要があり、スペース上不利となる。また、その先端部がリング状につながっていないため、部品寸法精度が出しにくいという問題点があった。
　【００１３】
　（３）固定筒１０２に形成されるカム溝１０２ａはモールド成形を行なうに際し、型構造上アンダーカットを避けるためにカム溝の途中にいわゆる型割り部が出来、その部分に段が生じ、その位置における光学位置保証が出来ない。そこで、カム溝を後加工することが必要となり、部品が高価になってしまうという問題点があった。
　【００１４】
　（４）前述（２）の問題点を解決するために、図７に示すように直進ガイド１０４を１レンズ群保持部材１０７、２レンズ群保持部材１１１及び３レンズ群保持部材１１２の外周部に位置させたピン１１６，１１７，１１８を、前記直進ガイド１０４の直進溝部１０４ａ及び差動筒１０３のカム溝部１０３ａ，１０３ｂ，１０３ｃに係合させ、その位置を規定するように構成した場合は、次のような問題点が発生する。
　【００１５】
　カメラの持ち運び最中に１レンズ群保持部材１０７の先端を机等にぶつけた時、その衝撃力はピン１１６とカム溝部１０３ａにより受止められる。この時、この衝撃力を受け止める部分とピン１１６を１レンズ群保持部材１０７にネジ止めしているネジ止め部１０７ａは、前記直進ガイド１０４の肉厚分離れているため、衝撃力に加え、ネジ部にはモーメント力が加わり、前記１レンズ群保持部材１０７の肉厚部分のみでの結合では強度上問題がある。
　【００１６】
　さらに、この問題を解決するために１レンズ群保持部材１０７の内周部にナットを配置し、ピン１１６とナット（図示せず）とで前記１レンズ群保持部材１０７を挟み込むような構造にすると、部品増、コスト増、さらに、該ナット部を逃げるための切り欠き部が２レンズ群保持部材１１１に必要になるため、前述（２）のように、スペース効率上の問題点があった。
　【００１７】
　本発明は上記のような問題点を解消したカメラの鏡筒構造を得ることを目的とする。
　【００１８】
　【課題を解決するための手段】
　請求項１の発明によれば、撮影レンズ光学系を保持しカメラ本体に固定された固定筒と、この固定筒の内周面に回動自在に保持されるとともに、その回転位相によりその光軸方向位置を規定される差動筒と、この差動筒の内周側に位置しその光軸方向位置を前記差動筒の位置に対応して規定されるとともに回転位相を前記固定筒により規定される直進ガイドと、前記固定筒の外周部に位置して前記差動筒に固定された駆動ピンと、この駆動ピンに回転方向の力を付与する駆動リングとを有するカメラにおいて、前記直進ガイドに設けられた円周方向の溝部に係合し該直進ガイドを前記差動筒に対し回動自在に保持し、かつ抜け止めを行なう突起を前記駆動ピンの先端に設けたことにより、コストダウン、組み立て工数の軽減が可能となる。
　【００１９】
　請求項２の発明によれば、撮影レンズ光学系を保持しカメラ本体に固定された固定筒と、この固定筒の内周面に回動自在に保持されるとともに、その回転位相によりその光軸方向位置を規定される差動筒と、この差動筒の内周側に位置しその光軸方向位置を前記差動筒の位置に対応して規定されるとともに回転位相を前記固定筒により規定される直進ガイドと、前記直進ガイドにより回転規制されるとともに、前記差動筒に形成されたカム溝によりその光学位置を規定される少なくとも２つのレンズ群保持部材とを有するカメラにおいて、前記直進ガイドは前記レンズ群保持部材の回転を規制する直進溝部を有するとともに該直進ガイド自身の回転を規制するキー部を前記直進溝部と同位相に形成したことにより、スペース効率の向上、部品精度の向上、生産性の向上が可能となる。
　【００２０】
　請求項３の発明によれば、撮影レンズ光学系を保持しカメラ本体に固定された固定筒と、この固定筒の内周面に回動自在に保持されるとともに、その回転位相によりその光軸方向位置を規定される差動筒と、この差動筒の内周側に位置しその光軸方向位置を前記差動筒の位置に対応して規定されるとともに回転位相を前記固定筒により規定される直進ガイドと、前記固定筒の外周部に位置して前記差動筒に固定された駆動ピンと、この駆動ピンに回転方向の力を付与する駆動リングとを有するカメラにおいて、前記固定筒と差動筒はヘリコイド結合されるとともに、該固定筒は前記駆動ピンが貫通する溝部を有し、この溝部は前記駆動ピンとは嵌合しないように形成されていることにより、対衝撃性に優れたカメラを実現できる。
　【００２１】
　請求項４の発明によれば、撮影レンズ光学系を保持しカメラ本体に固定された固定筒と、この固定筒の内周面に回動自在に保持されるとともに、その回転位相によりその光軸方向位置を規定される差動筒と、この差動筒の内周側に位置しその光軸方向位置を前記差動筒の位置に対応して規定されるとともに回転位相を前記固定筒により規定される直進ガイドと、少なくとも２つのレンズ群保持部材とを有するカメラにおいて、該２つのレンズ群保持部材は、その外周部に円柱状突起が形成され、該円柱状突起の先端部には、ピンが嵌入されており、前記差動筒にはカム溝が形成されており、前記直進ガイドには、その先端部がリング状につながるように直進溝が形成されており、前記差動筒のカム溝には該ピンが係合し、前記直進ガイドの直進溝には該円柱状突起が係合することで該２つのレンズ群保持部材の光学位置を規定しており、前記円柱状突起は少なくとも前記直進ガイドに係合する部分までを、前記レンズ群保持部材と一体に形成されていることにより、対衝撃性に優れ、スペース的にも有利なカメラを実現できる。
　【００２２】
　【実施例】
　図１は本発明の実施例を示す要部断面図、図２はその分解斜視図である。
　【００２３】
　図１，図２において、１は図示しない駆動源からの力を、図示しない公知の動力伝達手段を介して与えられ回転する駆動リングであり、この駆動リング１に設けた直進溝部１ａ，１ｂ，１ｃは後記駆動ピン５に係合して回転力を付与する。２は図示しないカメラ本体に固定される固定筒であり、この固定筒２の外周面に前記駆動リング１を回動自在に嵌合保持するとともに３本のメスヘリコイド２ａが形成されている。
　【００２４】
　３は固定筒２の内側に嵌合する差動筒であり、この差動筒３は端部外面に形成された３ケ所のオスヘリコイド３ａがそれぞれに対応するメスヘリコイド２ａとヘリコイド結合されている。また、上記固定筒２には、前記駆動ピン５が貫通する溝部２ｂが形成されており、駆動ピン５は該溝部を貫通しその先端部が前記駆動リング１の直進溝部１ａに嵌合する。
　【００２５】
　４は前記差動筒３の内周部に回動自在に嵌合保持される直進ガイドである。５は駆動リング１の直進溝部１ａ、固定筒２の溝部２ｂを貫通して差動筒３のねじ穴３ｂに螺合された駆動ピンであり、ねじ穴３ｂを貫通した駆動ピン５のネジ先端部に形成された突部５ａが直進ガイド４の後端部近傍に形成された３ケ所の円周方向溝部４ａに係合している。
　【００２６】
　従って、直進ガイド４は差動筒３と連動して繰り出される。この時、直進ガイド４の直進溝４ｂと同位相でその後端部に形成された３ケ所の突起４ｃは前記固定筒２の内周部に形成された直進溝部２ｃと係合しているため、回転せずに前記差動筒３に連動して光軸方向に移動する。
　【００２７】
　６は図示しない１レンズ群を保持する１レンズ群保持部材であり、この１レンズ群保持部材６の略後端部には、前記直進ガイド４の直進溝部４ｂに係合する３ケの円柱状突起６ａが形成されており、この円柱状突起６ａの先端部には、差動筒３の内周部に形成された図示しない公知のカム溝に係合するピン７が嵌入される。
　【００２８】
　８は公知のシャッター駆動ユニット及び被写体にピントを合せるためのレンズ駆動ユニットを具備する２レンズ群保持部材であり、この２レンズ群保持部材８の外周略後端部には、前記１レンズ群保持部材６と同様に直進ガイド４の直進溝４ｂと係合する略円柱状突起８ａ及び差動筒３の内周部に形成された図示しないカム溝に係合するピン８ｂが一体に形成されている。
　【００２９】
　９は３レンズ群を保持する３レンズ群保持部材であり、この３レンズ群保持部材の外周部には２レンズ群保持部材８と同様の略円柱状突起９ａ及びピン９ｂが一体に形成されている。
　【００３０】
　そして、前記の１レンズ群保持部材６，２レンズ群保持部材８，３レンズ群保持部材９の各略円柱状突起及びピンは前記直進ガイド４の突起部４ｃの内径切欠部４ｄをくぐりぬけるようにして、うしろから組み込まれてる。この時、前記差動筒３の内周面に形成された図示しないカム溝は、前記各レンズ群保持部材をうしろから組み込めるように光軸方向に後端部まで抜けている。そして、各レンズ群保持部材を組み込む位相は、カメラのズーム領域外である。
　【００３１】
　次に上記実施例構成よりなるズームレンズ鏡筒のズーミング動作について説明する。
　【００３２】
　図示しない駆動源からの駆動力を受けて駆動リング１が回転すると、直進溝部１ａに係合した駆動ピン５が回転し、同時に差動筒３を回転させる。この差動筒３のオスヘリコイド部３ａと、固定筒２のメスヘリコイド部２ａがヘリコイド結合されているから、差動筒３は固定筒２に対してヘリコイドに沿って繰り出される。
　【００３３】
　この時、直進ガイド４は円周溝部４ａに前記駆動ピン５のネジ先端部５ａが係合しているので、前記差動筒３に連動して繰り出される。前記差動筒３は固定筒２に対し回転しながら繰り出されるが、直進ガイド４は突起部４ｃが固定筒２の内周部に形成された直進溝部２ｃと係合しているため、固定筒２に対して回転せずに繰り出されることになる。
　【００３４】
　その結果、差動筒３と直進ガイド４は相対的に回転することとなる。前記各レンズ群保持部材６，８，９は円柱状突起６ａ，８ａ，９ａが直進ガイド４の直進溝部４ｂと係合することで、その回転が規制され、さらに、ピン７，８ｂ，９ｂが差動筒３の内周面に形成された図示しないカム溝と係合していることで、その光軸方向位置が規定されている。
　【００３５】
　このため、前記直進ガイド４と差動筒３の相対回転により、各レンズ群は前記差動筒３内に形成されたカム溝の軌跡に沿って光軸方向へ移動する。この時、前記差動筒３の繰り出し量を加えた量が各レンズ群の移動量となり、この量が光学設計上定められた量と一致するように前記差動筒内周面のカム溝は形成されている。以上の動作により各レンズ群は所定のズーム動作を行なうものである。
　【００３６】
　上記実施例においては、各レンズ群保持部材６，８，９に設けたピン７，８ｂ，９ｂはテーパー状の円錐コロになっているが、これは駆動ピン５のような円柱状コロやその他の形状でもよい。
　【００３７】
　【発明の効果】
　以上説明したように、請求項１の発明によれば、駆動ピンのネジ先端部に直進ガイドの円周方向溝部と係合する突部を設け、直進ガイドの抜け止めを行なうように構成したので、部品点数を少なくして、コストダウン、組み立て工数の軽減が可能となる。
　【００３８】
　請求項２の発明によれば、直進ガイドの直進溝を後端部まで形成し、各レンズ群保持部材をうしろから組み込めるようにし、直進ガイドの略後端部に直進ガイド自身の回転を規制するキー状突部を形成し、この突部により直進溝部に肉をつなぐことを可能とするように構成したので、スペース効率の向上、部品精度の向上、生産性の向上が可能となる。
　【００３９】
　請求項３の発明によれば、固定筒と差動筒をヘリコイド結合し、固定筒にはヘリコイドリードに一致し、駆動ピンが貫通する逃げ溝を形成したので、部品をモールド化するための型構造上の問題を解決し、光学性能の向上となる。また、カメラを持ち運ぶ際、カメラの鏡筒先端部を机等をぶつけた時の衝撃力により、ヘリコイドが抜けかかると、駆動ピンが固定筒の逃げ溝に当接して上記衝撃力を吸収するため、対衝撃性に優れたカメラを実現できるとともに、その衝撃力により逃げ溝に駆動ピンによる打痕が残ったとしても光学性能上何ら問題とならない。
　【００４０】
　請求項４の発明によれば、直進ガイドに形成された直進溝に、レンズ保持部材の外周部に形成された円柱状突起を係合する構成としたので、前記と同様、対衝撃性に優れ、強度アップのためのナットの必要がなくスペース的にも有利である。
【図面の簡単な説明】
　【図１】　本発明を実施したカメラの鏡筒構造を示す要部の断面図
　【図２】　その要部の分解斜視図
　【図３】　従来のカメラの鏡筒構造を示す一部の断面図
　【図４】　図３の一部を変形した断面図
　【図５】　従来のカメラの他の鏡筒構造を示す一部の断面図
　【図６】　図５の分解斜視図
　【図７】　従来のカメラの更に他の鏡筒構造を示す一部の断面図
　【符号の説明】
　１　駆動リング
　２　固定筒
　３　差動筒
　４　直進ガイド
　５　駆動ピン
　６　１レンズ群保持部材
　７，８ｂ，９ｂ　ピン
　８　２レンズ群保持部材
　９　３レンズ群保持部材